(57)【要約】【目的】  空中では仕掛けの重量を大きくして餌の振込みを容易にし、水中では魚が餌をくわえたとき、釣り仕掛けの動きに異常を感じさせない様に浮きを軽くする魚釣りの浮きを提供する。【構成】  浮きの下部に適当な長さの軸を設け、この軸に摺動可能なように取り付けた摺動重りからなり、釣り仕掛けを投入するために空中にある時は浮きと大きな重さの摺動重りが作用し、投入後水中では摺動重りの大きな重量は摺動重り自身の浮力によって相殺されて小さくなり、軽い浮きの浮力だけとなる様に構成されており、摺動重りには投入の時に摺動浮きを吊り上げた際、摺動浮きの糸に接続した根元部に摺動重りが来る様に、釣り糸を通すリング大が設けられている。【選択図】図３
2013247948.tif 000002
【特許請求の範囲】
【請求項１】
浮きの下に適当な長さの軸部を設け、その軸部に摺動重りを摺動出来る様に取り付ける。
【請求項２】
摺動重りは水中での浮力と重さが適当になる様に調整されている。
【請求項３】
摺動重りには釣り糸を通すための、浮き止めが通れる大きさのリングが取り付けられている。
【発明の詳細な説明】
【発明の詳細な説明】
【発明の属する技術的分野】
【０００１】  魚を釣る場合、釣り人は魚がえさを喰う状態を水面に浮いている浮きの動きで判断するが、魚は針の付いた餌をついばんだ時、釣り仕掛けによる抵抗で異常を感じれば餌を喰わないから、餌を自然な状態の保つために、仕掛けは出来る限り軽く、動きの良いものでなければならない。
【０００２】  釣りの仕掛けは針、錘、浮き、釣り糸等からなるが、仕掛けが軽いと餌を投入する場合、空気抵抗や風等のため目的の場所に投入する事が困難になるから、浮きは投入の勢いを得るために十分な重さを必要とする。
【０００３】  本考案は、この魚に対する仕掛けの軽さと投入のための重さの相反する二面性を解消しようとする釣り用浮きの装置である。
【背景技術】
【０００４】  釣り用の浮きは、釣る目的の魚の種類や、釣りを行う場所の条件等によっていろいろな種類があるが、いずれも魚の餌に喰いつく状態を示すため水面に浮く必要があり、又目視するために大きさも必要となる。【０００５】  しかし、魚に餌を喰わせるためには、餌を水中で浮遊する自然の状態に保つ必要があり、仕掛けの浮きの重さや浮力調整の錘は極力小さくする必要がある。【０００６】  反面、餌を目的の位置に投入するには、つり用仕掛けにある程度の重さが必要であり、仕掛けが軽すぎると、空気の抵抗や風の力で流されて、投入が困難になる。【０００７】  従って釣りをする場合にはこの相反する条件に妥協しなければならない。
【発明が解決しようとする課題】
【０００８】  この発明は、上記のような軽い必要性と、重い必要性の相反する条件を、軽い浮きに大きな重さを持つ摺動重りを組み合わせることによって、空中では摺動重りの大きな重さを有し、水中では摺動重りの大きな重さを浮力で相殺し、軽い浮きの小さな重さに置き換えようとするものである。
【課題を解決するための手段】
【０００９】  上記目的を達成するため、この発明の装置の一つは、浮力を有する浮きの部分と釣り糸に接続する部分との間に適当な長さの軸部を設けた浮きを特徴とする。
【００１０】  この発明の装置の他の一つは、上記浮きの軸部に摺動出来るようにした摺動重りを取り付ける事を特徴とする。
【００１１】  この発明の装置の他の一つは、摺動重りは水中では浮力と重さが適当に相殺され小さくなるように調整されていることを特徴とする。
【００１２】  この発明の装置の他の一つは、摺動重りの下部に釣り糸を通す為の、浮き止めが自由に通過できる大きさのリングを設けることを特徴とする。
【作用】
【００１３】  この発明の摺動浮きは、釣り餌を投入するために釣り仕掛けが空中にあるときには摺動重りの重さがそのまま加わるから、餌を遠方に投入するための十分な重さを得る。
【００１４】  また投入後仕掛けが水の中に入ると摺動重りの重さは浮力と相殺され小さくなるから、浮力の少ない抵抗の少ない小さな浮きを使用することが出来る。
【００１５】  この状態で水中に投入された仕掛けの餌を魚が啄ばむと釣り糸が勢いよく引かれ浮きは沈みこむが、摺動重りは慣性力によってその位置を保ち、釣り糸は摺動重りのリングを通っているだけなので、摺動重りに対して自由に動き、浮きの動きの分だけ摺動重りは浮きの軸を摺動するから、魚の引く力に直接作用するのは小さな浮きの力だけとなる。
【００１６】  魚が餌をくわえて浮きが水中に完全に沈み込むまで引き込んだ時でも、摺動重りの動きが制限されないように軸の長さは適当に調整してあるから、浮きが水中に沈み込んだ後、摺動重りが浮きの軸上を滑り終わって浮きの下端に当たった時、摺動重りの質量による力が釣り糸に伝わる事になる。
【００１７】  このときには浮きは完全に水中に沈んでいるから、合わせの時であり、摺動重りの力が餌に作用しても問題は無い。
【発明を実施するための形態】
【００１８】  添付図面は実施の一例を示し、図１は浮きの側面図であり、１は浮き、２は軸、３はリングを軸に取り付ける金物、４は浮きを釣り糸に連結するリング小である。
【００１９】  図２は摺動重りの横断面図である。５は摺動重りで、１０は軸２の通る穴である。６は摺動重りに取り付けられたリング大で、浮き止めが通過できる大きさを持っている。
【００２０】  図３は摺動浮きの組み立て図で浮き１に接続した軸２に摺動重り５が組み込まれた状態で、各部と釣り糸の関係も示している。７は下側浮き止め、８は上側浮き止め、９は釣り糸である。
【００２１】  図４は摺動浮きの水面１１に対する浮遊状態を示し、摺動重り５は軸２の下部にあり、摺動浮きはこの状態で安定して浮遊している。
【００２２】  図５は魚が餌を啄ばみ僅かに引いて摺動浮きが少し沈んだ状態で、摺動重り５は慣性によって魚の引く早い動きには追従せず、軸２上を滑って取り残される。
【００２３】  図６は魚が餌をくわえて完全に引きずり込み摺動浮きが十分に沈んだ状態を示す。軸２は十分な摺動長さがあるから浮きが沈みこんだ後に摺動重り５の上部が浮き１の下部に当たる。
【００２４】  図７は釣り仕掛けを空中に吊り上げた時の摺動浮きの状態を示し、摺動浮きの下部リング小４は浮き止めを通さない大きさなので下側浮き止め７でとまって浮き１を下にして浮遊状態の逆にぶら下がった状態であるが、摺動重り５にあるリング大６に釣り糸９を通してあるため、摺動錘５は摺動浮きの釣り糸９と連結するリング小４のある上側の軸２端に吊り上げられている。
【００２５】  この状態で仕掛けを投げれば、摺動浮きは摺動浮き５の重さで摺動浮きのリング４側を先にして飛び、摺動浮きの下側から水中に入り問題ないが、摺動重り５のリング６がない場合は、仕掛けを吊り上げた際に重い摺動重り５が下の浮き１側に滑り落ち、投げた時に浮き１を先にして飛び、水中に落下した時に浮き１が水面に当たり損傷等不具合を生じる。
【００２６】  摺動浮きはリングで釣り糸９に接続せず、ゴム管等で軸１を釣り糸９に直接接続することも出来る。
【発明の効果】
この発明の摺動浮きは前記のように構成され、空中では仕掛けを投入するための十分な重さと、水中では魚に餌の異常さを感じさせない軽い重さを提供できる。
【図面の簡単な説明】
【図１】  摺動浮きの摺動重りをはずした状態の側面図
【図２】  摺動浮きの摺動重りの横断面図
【図３】  摺動浮きを組み立てた一例の組み立て図
【図４】  摺動浮きの水中における浮きと摺動重りの位置関係を示す図。
【図５】  魚が餌を咥えて少し引いた時の浮きと摺動重りの動きを示す図。
【図６】  魚が餌を咥えて引き、十分に浮きを沈めた場合の浮きと摺動重りの動きの関係を示す図。
【図７】  摺動浮きを吊り上げた時の摺動重りのリング大の効果を示す図
【符号の説明】１・・・浮き  ２・・・軸  ３・・・接続金物  ４・・・リング小  ５・・・摺動重り  ６・・・リング大  ７・・・下側浮き止め  ８・・・上側浮き止め  ９・・・釣り糸
【図１】
2013247948.tif 000003
【図２】
2013247948.tif 000004
【図３】
2013247948.tif 000005
【図４】
2013247948.tif 000006
【図５】
2013247948.tif 000007
【図６】
2013247948.tif 000008
【図７】
2013247948.tif 000009